(57)【要約】【課題】  商品陳列棚の棚板を含む前部全体を明るく照明することにより、棚板や商品の演出及びディスプレイ効果を高め、商品の購買意欲を高めることができるようにする。【解決手段】  商品陳列棚１の棚板１２の前部に蛍光灯２７を取り付けるとともに、後方に開口する断面コ字形の透光性の照明カバー２９を、棚板前部並びに蛍光灯２７の前部を囲繞するようにして、棚板１２の前部に取り付ける。【選択図】  図３
2006346238.tif 000002
【特許請求の範囲】
【請求項１】
商品陳列棚の棚板前部に照明灯を取り付け、かつ後方に開口する断面コ字形の透光性の照明カバーを、棚板前部並びに照明灯の前部を囲繞するようにして、棚板前部に取り付けたことを特徴とする商品陳列棚における棚板照明装置。
【請求項２】
照明カバーの前端部を、棚板の前端より前方に突出させて設け、もって照明灯が、棚板の前方、上方、下方の三方を照明するようにしたことを特徴とする請求項１に記載の商品陳列棚における棚板照明装置。
【請求項３】
照明カバーの前部を、棚板の上面よりも上方に突出させて設けたことを特徴とする請求項２に記載の商品陳列棚における棚板照明装置。
【請求項４】
棚板を鋼板により形成し、この棚板の前縁部を、下方に反転屈曲するとともに、棚板の前部の下面に、照明灯を取り付ける照明灯取付部材を固着し、該照明灯取付部材の前端部に、前記反転屈曲部より下方に所定間隔離間して前方を向く延長片を連設することにより、前方に開口する係合溝を形成し、かつ、照明カバーの上側水平片の後端部に、前記係合溝内に挿入されることにより、前記反転屈曲部の後端により形成されている段差部と着脱可能に係合して抜け止めされる係止突条を、棚板の左右方向に沿って設け、照明カバーの上側水平片の後端部を係合溝に挿入係合させるとともに、照明カバーの下側水平片の後端部を、照明灯取付部材における下端部の下面に、ねじにより取り付けたことを特徴とする請求項１〜３のいずれかに記載の商品陳列棚における棚板照明装置。
【発明の詳細な説明】
【技術分野】
【０００１】
本発明は、商品陳列棚の棚板を照明することにより、棚板自身や陳列商品の演出及びディスプレイ効果を高め得るようにした商品陳列棚における棚板照明装置に関する。
【背景技術】
【０００２】
商品陳列棚における上下複数の棚板上に化粧品等の商品を陳列する際に、各棚板の下面に照明灯を取り付けて、それにより、棚板上の商品あるいは下方の棚板上の商品を照明することにより、棚板上の商品を効果的に演出し、顧客の購買意欲を増大させようとする試みは、従来より行われている（例えば、特許文献１参照）。
【特許文献１】特開２００１−２３８７７号公報
【発明の開示】
【発明が解決しようとする課題】
【０００３】
上記特許文献１に記載されている棚板照明装置は、照明灯の光線がお客の目に直接入らないようにするとともに、棚板下面や棚板上面の商品を照明することを目的としており、しかも、棚板の前面には、商品説明や価格等を表示するプライスカード保持部材が取り付けられているため、商品陳列棚における棚板の前部は暗くなりがちであった。
【０００４】
その結果、特に棚板自身の大きな演出効果は得られず、人目を惹きにくいため、購買意欲を増大させるのには限界があった。
【０００５】
本発明は、従来の技術が有する上記のような問題点に鑑み、商品陳列棚の棚板を含む前部全体を明るく照明することにより、棚板や商品の演出及びディスプレイ効果を高めて人目を惹き易くするようにし、商品の購買意欲を高めることができるようにした商品陳列棚における棚板照明装置を提供することを目的としている。
【課題を解決するための手段】
【０００６】
本発明によると、上記課題は、次のようにして解決される。
（１）商品陳列棚の棚板前部に照明灯を取り付け、かつ後方に開口する断面コ字形の透光性の照明カバーを、棚板前部並びに照明灯の前部を囲繞するようにして、棚板前部に取り付ける。
【０００７】
（２）上記(１)項において、照明カバーの前端部を、棚板の前端より前方に突出させて設け、もって照明灯が、棚板の前方、上方、下方の三方を照明するようにする。
【０００８】
（３）上記(２)項において、照明カバーの前部を、棚板の上面よりも上方に突出させて設ける。
【０００９】
（４）上記(１)〜(３)項のいずれかにおいて、棚板を鋼板により形成し、この棚板の前縁部を、下方に反転屈曲するとともに、棚板の前部の下面に、照明灯を取り付ける照明灯取付部材を固着し、該照明灯取付部材の前端部に、前記反転屈曲部より下方に所定間隔離間して前方を向く延長片を連設することにより、前方に開口する係合溝を形成し、かつ、照明カバーの上側水平片の後端部に、前記係合溝内に挿入されることにより、前記反転屈曲部の後端により形成されている段差部と着脱可能に係合して抜け止めされる係止突条を、棚板の左右方向に沿って設け、照明カバーの上側水平片の後端部を係合溝に挿入係合させるとともに、照明カバーの下側水平片の後端部を、照明灯取付部材における下端部の下面に、ねじにより取り付ける。
【発明の効果】
【００１０】
本発明によると、次のような効果を奏することができる。
（ａ）請求項１記載の発明によれば、照明灯が取り付けられた商品陳列棚の棚板前部に、後方に開口する透光性の照明カバーを、棚板前部並びに照明灯の前部を囲繞するようにして取り付けているので、商品陳列棚の棚板を含む前部全体が明るく照明され、棚板自身や陳列商品の演出及びディスプレイ効果が高まって人目を惹き易くなることにより、商品の購買意欲向上の効果が期待できる。
【００１１】
（ｂ）請求項２記載の発明によれば、照明灯が、棚板の前方、上方、下方の三方を照明するようにしているので、照明灯で照らす領域が広がり、商品陳列棚の棚板を含む前部全体がさらに明るくなり、棚板自身や陳列商品の演出及びディスプレイ効果もさらに高まる。
【００１２】
（ｃ）請求項３記載の発明によれば、照明カバーの前部を棚板の上面よりも上方に突出させて設けているので、棚板の後部も照明され、照明灯が照明する領域がさらに拡大することにより、商品陳列棚の棚板を含む前部全体がより一層明るくなり、商品の演出及びディスプレイ効果もより一層高まる。
また、棚板の後部に載置した商品も効果的に照明される。
さらに、棚板に載置した商品が前方に滑落するのが防止される。
【００１３】
（ｄ）請求項４記載の発明によれば、照明カバーの上側水平片の後端部を、棚板と照明灯取付部材との間の前方に開口する係合溝に挿入して係止突条を係合させるだけで、照明カバーの上側水平片を棚板の前端に簡単に抜け止めして取り付けることができるため、ねじ等の固定手段が不要となる。
また、照明カバーの上側水平片は嵌合により、かつ下側水平片は、ねじにより照明灯取付部材の下面に取付けられているので、照明カバーの着脱が容易となり、照明灯の交換作業等も簡単に行うことができる。
【発明を実施するための最良の形態】
【００１４】
以下、本発明の実施形態を、図面に基づいて説明する。
図１は、本発明の棚板照明装置を適用した、化粧品等を陳列する商品陳列棚の斜視図、図２〜図４は、その各部の詳細を示す。
【００１５】
商品陳列棚(１)は、前後寸法（以下、図１の斜め右手前を前として説明する）を小とした上面板(２)と、左右の側板(３)(３)と、背板(４)(４)と、左右の側板(３)(３)の下部側方及び背板(４)の下部前方に設けられたベース台(５)とを有する本体(６)を備えている。背板(４)は、左右方向にほぼ等しい間隔を置いて立設された複数(本実施形態では３個)の支柱(７)間に嵌め込まれている。
【００１６】
各支柱(７)の前面には、左右２列の係合孔(８)が、上下方向に等間隔をなして多数列設されており、これらの所望の係合孔(８)に、図２に示すように、棚板支持用のブラケット(９)の後端部に設けた下向き鉤状のフック(10)を係止して取付け、左右のブラケット(９)により、上下複数の棚板(11)(12)の左右両端が所望の高さで多段状に支持されている。なお、最上段の棚板(11)はガラス製で、その下方の棚板(12)は鋼板製のものとしてある。
【００１７】
棚板(12)は、左右方向に長い鋼板をプレス成形することにより、左右の側縁と後縁とに下向折曲片(12a)を有する、下面と前面が開口された棚板本体(13)を有している。
【００１８】
図３及び図４に示すように、棚板本体(13)の前端部下面には、前縁部を左右両端間にわたって下方に反転屈曲することにより、反転屈曲部(14)が形成され、その後端と棚板本体(13)の下面との間には、段差部(15)が形成されている。棚板本体(13)の前端部下面には、左右寸法が、棚板本体(13)の左右の下向折曲片(12a)間の寸法より若干短い鋼板製の照明灯取付部材(16)における前向水平片(17)と後向水平片(18)とが、スポット溶接により固着されている。
【００１９】
前向水平片(17)の前端には、上記反転屈曲部(14)との間に所定の間隔をおいて対向する側面視前向Ｌ字状断面の延長片(19)が、前向きに一体的に設けられ、この延長片(19)と反転屈曲部(14)との間に、前方に開口する係合溝(20)を形成してある。
【００２０】
照明灯取付部材(16)の前向水平片(17)と後向水平片(18)との間には、前向水平片(17)の後端より斜め後ろ下方に向かって傾斜する照明灯取付片(21)と、この照明灯取付片(21)の下端から後方に向かってほぼ水平に延出する取付片(22)と、この取付片(22)の後端より起立し、上端が後向水平片(18)の前端に連続する垂直片(23)とが一体的に連設されている。
【００２１】
取付片(21)には、左右複数の取付孔(24)が穿設され、かつ各取付孔(24)と対応する取付片(22)の上面には、ウエルドナット(25)が固着されている。
【００２２】
照明灯取付片(21)の前面には、それにねじ止めされた取付ブラケット(26)を介して、左右方向を向く照明灯としての蛍光灯(27)が取り付けられ、この蛍光灯(27)の前方と下方は、棚板(12)の前端部を覆うようにして取り付けられた照明カバー(29)により囲繞されている。なお、上記蛍光灯(27)と照明カバー(29)等とにより、棚板照明装置を構成している。
【００２３】
照明カバー(29)は、乳白色又は他の色彩の半透明のアクリル等の透光性合成樹脂材料からなり、前面垂直片(29a)と、この前面垂直片(29a)の上下縁から後方に向かって水平に延びる上側水平片(29b)と、それよりも長寸の下側水平片(29c)とを有する、ほぼ側面視後向コ字状断面に形成されている。
【００２４】
照明カバー(29)の上下及び左右寸法は、棚板(12)の上下及び左右寸法とほぼ同一をなしている。
【００２５】
照明カバー(29)における上側水平片(29b)の後端部の上面には、左右方向を向く係止突条(30)が、照明カバー(29)のほぼ全長に亘って上向きに突設されている。
この係止突条(30)を設けた部分の上側水平片(29b)の厚さは、上述した係合溝(20)の上下寸法よりも若干大としてある。したがって、上側水平片(29b)の後端部を係合溝(20)に嵌合する際には、係合溝(20)は若干押し拡げられ、係止突条(30)が棚板本体(13)の反転屈曲部(14)を越えると、係止突条(30)が段差部(15)に弾性係合して抜け止めされる。
【００２６】
照明カバー(29)における下側水平片(29c)の後端部は、上側水平片(29b)が係合溝(20)に係合したときに、照明灯取付部材(16)における取付片(22)の下面に上面が当接するようになっている。下側水平片(29c)には、取付孔(24)に対応して、取付孔(31)が設けられている。
【００２７】
照明カバー(29)における上側水平片(29b)の後端部を係合溝(20)に嵌合して、係止突条(30)を段差部(15)に係合させたのち、照明灯取付部材(16)の取付孔(24)と下側水平片(29c)の取付孔(31)とに、下方より、手回し可能な取付ボルト(32)を挿入し、ウエルドナット(25)に螺合させて締め付けることにより、図２及び図３に示すように、照明カバー(29)は、棚板(12)の前部並びに蛍光灯(27)の前部を囲繞するようにして、棚板(12)の前部に止着される。
【００２８】
照明カバー(29)は、棚板(12)に取り付けられた状態において、その前端部が棚板(12)の前端よりも所要寸法前方に突出するように設定されている。したがって、蛍光灯(27)が点灯されると、蛍光灯(27)の光は、図３の矢印で示すように、棚板(12)の前端より突出している上側水平片(29b)の前端部から上方に向かって照射される光(L1)と、前面垂直片(29a)から前方に向かって照射される光(L2)と、下側水平片(29c)から下方に向かって照射される光(L3)との、三方に向かって広い領域で照射されるようになる。
【００２９】
その結果、棚板(12)の前端部はもとより、下段の棚板(12)の前端部の上面が明るく照明されるので、商品陳列棚(１)の棚板(12)を含む前部全体が明るくなり、棚板(12)自身や陳列商品の演出及びディスプレイ効果が高まって人目を惹き易くなるため、商品の購買意欲向上の効果が期待できる。
【００３０】
また、取付ボルト(32)を取り外したのち、棚板本体(13)の先端又は延長片(19)を上下方向に撓ませて係合溝(20)を拡げれば、係止突状(30)と段差部(15)との係合が解除されて、照明カバー(29)を取り外すことができるので、蛍光灯(27)の交換作業も容易となる。
【００３１】
さらに、照明カバー(29)の上部は、その上側水平片(29b)の後端部を係合溝(20)に嵌合して係合させるだけで、簡単かつ着脱可能に取り付けることができるため、ねじ等の固定手段が不要となる。
【００３２】
以上、本発明の一実施形態について説明したが、本発明の要旨を逸脱しない範囲内で、種々の変形や変更を施すことが可能である。
例えば、照明カバー(29)は、図５に示すように、棚板(12)に取り付けられた状態において、棚板(12)の前端よりの突出寸法を大とし、かつ上側水平片(29b)の前端部を上向きに折曲して、棚板(12)の上面よりも上方に突出する上向突部(33)を設けた構造としてもよい。このようにすると、蛍光灯(27)が点灯された際の光は、上述の三方の外に、後方の背板(４)側に向かって放射される光(L4)が付加されるので、照明領域がより一層拡大し、棚板(12)や陳列商品の演出及びディスプレイ効果がさらに高まる。
また、上向突部(33)が、棚板(12)上の商品の滑り止め用のストッパとしても機能するので、商品が前方に滑落するのが防止される。
【図面の簡単な説明】
【００３３】
【図１】本発明の棚板照明装置を適用した商品陳列棚の斜視図である。
【図２】図１におけるII−II線に沿う拡大縦断側面図である。
【図３】図２における棚板と照明カバーとの取付部の拡大断面図である。
【図４】同じく、棚板と照明カバーの一部を示す分解斜視図である。
【図５】本発明の変形例における図３と同部位の拡大断面図である。
【符号の説明】
【００３４】
(１)商品陳列棚
(２)上面板
(３)側板
(４)背板
(５)ベース台
(６)本体
(７)支柱
(８)係合孔
(９)ブラケット
(10)下向き鉤状フック
(11)棚板
(12)棚板
(12a)下向折曲片
(13)棚板本体
(14)反転屈曲部
(15)段差部
(16)照明灯取付部材
(17)前向水平片
(18)後向水平片
(19)延長片
(20)係合溝
(21)照明灯取付片部
(22)取付片
(23)垂直片
(24)取付孔
(25)ウエルドナット
(26)取付ブラケット
(27)蛍光灯（照明灯）
(29)照明カバー
(29a)前面垂直片
(29b)上側水平片
(29c)下側水平片
(30)係止突条
(31)取付孔
(32)取付ボルト
(33)上向突部
【図１】
2006346238.tif 000003
【図２】
2006346238.tif 000004
【図３】
2006346238.tif 000005
【図４】
2006346238.tif 000006
【図５】
2006346238.tif 000007